(57)【要約】ポイントリワードサーバにセグメント情報に基づいて会員登録をして位置情報をリアルタイムで伝送する顧客端末機と、サービス又は商品などに基づいてポイントリワードサーバに会員登録をしてポイントを支給しポイントリワードサーバに通報して管理する加盟店端末機と、広告をオンラインで依頼する広告主端末機と、会員登録を受けてポイントを管理し広告を依頼されてターゲット広告をし、広告収益を加盟店と顧客に一定割合で配分するポイントリワードサーバーとを備える。【選択図】  図２
2015525416.tif 000002
【特許請求の範囲】
【請求項１】
顧客が加盟店で購入するサービス及び商品に対してポイントを補償し、位置及び購入履歴情報を含む顧客及び加盟店情報を利用して移動通信端末機を介してターゲット広告を行う広告システムにおいて、
前記ポイントを補償するサービスを利用したターゲット広告システムは、ポイントリワードサーバ３００とインターネット網及び移動通信網１５０で連結されて前記ポイントリワードサーバ３０９に会員として登録し位置情報の提供に同意した顧客の位置情報を提供し、前記ポイントリワードサーバ３００から各種情報を伝送される多数の顧客端末１００と、
前記ポイントリワードサーバ３００はインターネット網又は移動通信網１５０で連結されて顧客が会員として加入する加盟店に設置され、取引顧客会員に一定ポイントを支給管理し本加盟店で管理する登録顧客会員のセグメント情報と購入履歴情報をポイントリワードサーバ３００と共有する加盟店端末機４００と、
前記ポイントリワードサーバ３００とインターネット網又は移動通信網１５０で連結されて広告主が依頼した広告とターゲット広告条件を前記ポイントリワードサーバ３００に伝送する広告主端末機５００と、
前記顧客端末機１００から顧客のセグメント情報に基づいて会員として登録を受けて貯蔵管理し、加盟店端末機４００からサービスの種類、商品の種類、加盟店の位置情報に基づいて会員として登録を受けて顧客のポイント情報を含んで形成された購入履歴情報を貯蔵管理し、前記顧客端末機１００及び加盟店端末機４００から伝送されて貯蔵された顧客のセグメント情報及び購入履歴情報、位置情報に基づいて広告主端末機５００から広告主が依頼した広告条件に応じてターゲット広告対象者を選定して広告内容をターゲット広告対象者の顧客端末機１００にターゲット伝送して広告し、広告収益に対して事業者及び顧客と加盟店に一定割合で配分するように制御するポイントリワードサーバ３００と、を含んで構成される
ことを特徴とするポイント補償サービスによる顧客情報と位置情報を利用したターゲット広告システム。
【請求項２】
前記ポイントリワードサーバは、
顧客端末機１００から顧客の氏名、性別、年齢、顧客端末機の番号などに基づいて登録を受けた顧客のセグメント情報を蔵管理する顧客ＤＢ３２０と、
加盟店端末機から加盟店に関するサービスの種類、商品の種類、位置情報などに基づいて会員として登録を受けた加盟店情報を貯蔵管理する加盟店ＤＢ３４０と、
顧客が前記加盟店で使用した決済金額に対して一定割合で支給するポイント情報、加盟店情報、商品情報、サービス情報、顧客情報及び利用金額情報のうち少なくとも２つ以上の情報の組み合わせで形成された購入履歴情報を加盟店端末機４００から受信して貯蔵管理するポイント管理ＤＢ３３０と、
広告主端末機５００から広告主が依頼した広告とターゲット広告対象者の条件を受信して貯蔵管理する広告ＤＢ３１０と、
前記ポイント管理ＤＢ３３０に貯蔵された顧客の購入履歴情報であるポイント情報、加盟店情報、商品情報、サービス情報、顧客情報及び利用金額情報のうち少なくとも２つ以上の情報の組み合わせに基づいて広告主が依頼した広告ＤＢ３１０から広告しようとするターゲット広告対象者を設定するターゲット広告設定部３９０と、
ターゲット広告設定部３９０で設定されたターゲット広告対象者と広告を貯蔵管理するターゲット広告設定ＤＢ３６０と、
広告収益による利益を判断し顧客及び加盟店の配分率を判断する課金判定部３７０と、
前記課金判定部３７０で判定した課金情報を貯蔵管理する課金ＤＢ３８０と、を含んで形成される
請求項１に記載のポイント補償サービスによる顧客情報と位置情報を利用したターゲット広告システム。
【請求項３】
顧客端末機、ポイントリワードサーバ、加盟店端末機、広告主端末機を含み、顧客が加盟店で購入するサービス及び商品に対してポイントを補償し位置及び取引情報を含む顧客及び加盟店の情報を利用して移動通信端末機を介してターゲット広告を行う広告システムの運用方法において、
前記ポイント及び課金を穂法するサービスを利用した広告方法は、前記ポイントリワードサーバによって前記加盟店端末機から加盟店情報に基づいて会員登録を受けるステップＳ２１と、
前記ポイントリワードサーバによって前記顧客端末機から前記顧客情報に基づいて会員として登録を受けるステップＳ２２と、
前記ポイントリワードサーバによって前記顧客が前記加盟店で購入するサービス又は商品に対する購入履歴情報及び加盟店の位置情報を受信して貯蔵管理するステップＳ２４と、
前記ポイントリワードサーバによって前記広告主端末機から広告主が依頼した広告情報及びターゲット広告条件を受信して貯蔵管理するステップＳ２３と、
前記ポイントリワードサーバによって前記位置情報、購入履歴情報、会員登録情報に基づいて前記ターゲット広告条件に応じてターゲット広告対象者を設定するステップＳ２５と、
前記ポイントリワードサーバによって前記設定されたターゲット広告をインターネット網又は移動通信網を介して設定されたターゲット広告対象者の顧客端末機に伝送して表出するステップＳ２６と，
前記ポイントリワードサーバによって広告収益に基づいて顧客及び加盟店に対しても一定基準に従って課金を算定するステップＳ２８と、を有する
ことを特徴とするポイント補償サービスによる顧客情報と位置情報を利用したターゲット広告システムの運用方法。
【請求項４】
前記購入履歴情報、位置情報、会員登録情報に基づいてターゲット広告対象者を設定するステップＳ２５０は、
前記顧客が加盟店で利用したサービス又は商品に基づいて顧客情報、加盟店情報、サービス又は商品の種類、ポイント情報、利用金額情報のうち少なくとも２つ以上の情報の組み合わせに基づいてターゲット広告対象者を設定する
請求項３に記載のポイント補償サービスによる顧客情報と位置情報を利用したターゲット広告システムの運用方法。
【請求項５】
前記広告収益に基づいて前記顧客及び加盟店に対する課金を算定するステップＳ２８は、
前記広告を確認した顧客と会員管理加盟店に決められた基準に従って一定割合で配分する
請求項３に記載のポイント補償サービスによる顧客情報と位置情報を利用したターゲット広告システムの運用方法。
【請求項６】
前記ポイント及び課金を補償するステップを利用した広告方法は、前記ポイントリワードサーバによって前記算定された課金を前記顧客及び加盟店の銀行口座に送金するステップＳ２９を有する
請求項３に記載のポイント補償サービスによる顧客情報と位置情報を利用したターゲット広告システムの運用方法。
【請求項７】
前記ターゲット広告対象者を設定するステップ２５は、
前記ポイントリワードサーバによって前記顧客端末機の位置情報をリアルタイムで受信するステップＳ３４を有する
請求項３に記載のポイント補償サービスによる顧客情報と位置情報を利用したターゲット広告システムの運用方法。
【請求項８】
前記ポイントリワードサーバによって前記顧客端末機１００にターゲット広告を伝送する前にわいせつ物が含まれた有害広告をフィルタリングするステップを有する
請求項３に記載のポイント補償サービスによる顧客情報と位置情報を利用したターゲット広告システムの運用方法。
【発明の詳細な説明】
【技術分野】
【０００１】
一般に、広告とは消費者にサービス及び商品に関する情報を提供し、消費者が必要なものを購入するようにするものである。しかし、現在広告は不特定多数を対象に行われているため、広告に接する顧客の広告に対する無関心を増加させ購入に対する欲求を半減させている。
本発明は、位置基盤サービスを支援するスマートフォンなどの端末機を利用する顧客を対象に地域の商人、団体などで構成された加盟店とその加盟店を利用する顧客に一定割合のポイントを積み立てて再利用の際に割引きサービスを提供し、顧客が会員登録及びポイントを積み立てる際に提供する位置及び顧客セグメントデータに基づいて広告主と顧客に合わせた情報を提供するターゲット広告を可能にすると共に前記のようなターゲット広告を介して発生する広告収益を顧客と加盟店が供給することに関するものである。
【背景技術】
【０００２】
本発明に関する従来の技術は特許文献１に開示されている。
図１は、従来のインターネット基盤の割引き統合マーケティングとオン・オフライン広告、その他の加盟店及び会員管理などが結合された統合マーケティングシステムの構成図である。前記図１において、従来のインターネット基盤の割引き統合マーケティングとオン・オフライン広告、その他の加盟店及び会員管理などが結合された統合マーケティングシステムは加盟店と会員（消費者）がそれぞれウェブサイトを介してサーバに接続するが、加盟店加入管理モジュールｓ２００は加盟店の加入と脱退、各種情報変更事項などの個人情報資料とマイレッジ資料、加盟店の各種広告発注内訳と遂行結果の内訳、そのイメージ、加盟店別クーポン（ポイント）の発注、発行、回収内訳、オフライン広告発注の際に必要な残余広告単位など、加盟店それぞれに関する事項を総合的に管理するシステムであり、加盟店広告発注管理モジュールｓ３００は加盟店のオン・オフライン広告発注と修正過程を管轄しながらそれに必要な資料やインタフェースなどを提供し、これは更にオフライン広告発注管理モジュールｓ３００−１、イベント広告発注管理モジュールｓ３００−２で分けられるが、ここでオフライン広告とは加盟店のオフライン広報用として製作されるチラシ又はパンフレット広告などをいい、イベント広告とはタイムセールなどの加盟店のイベント広告用文字メッセージ広告をいう。
【０００３】
また、ホームページｓ１００は全体のシステムに接続するための関門の役割をしながら会員や加盟店加入及びコミュニケーションのための空間を提供し、各種加盟店のオンライン広告を提供し、加盟店イベントが登録される空間を提供し、主催社の紹介とシステム及び統合割引きクーポンの使用方法及びポイントの転換方法など各種案内のための空間、その他の必要な事項のための道具及び空間を提供し、割引きクーポン発注管理モジュールｓ４００は統合割引きクーポンの発注と発行を管轄し、会員加入管理モジュールｓ５００は会員加入と脱退、個人情報資料など個々人の会員に特化した資料を管理し、メールサーバ１０−２は会員３０及び加盟店２０に必要に応じて電子メールを送るかイベント広告の際に携帯電話を持っていない会員３０に短文メッセージ広告を提供するのに使用され、ＳＭＳサーバ１０−３は会員及び加盟店に文字サービスを利用した広告又は各種依頼事項に対する進行過程の通報に使用され、印刷編集管理システムｓ６００はオフライン広告発注管理モジュールｓ３００−１によって発注された広告案を渡してもらって編集・分版出力及び貯蔵するシステムである。
【０００４】
その他、遠隔印刷ソリューション４００−ａはクーポンを支店又は会員の家庭内のプリントで遠隔発行するために使用するソリューションであり、クライアントシステムソリューション４００−ｂはオンライン加盟店とサーバを連結してポイントの積み立て及び統合割引きクーポンの発行を可能にするためのソリューションであり、偽造防止ソリューション４００−ｃはクーポンの偽造を防止するためのウォーターマーク（ｗａｔｅｒｍａｒｋ）、ウォーターコード（ｗａｔｅｒｃｏｄｅ）、２次元バーコード印刷などに関するソリューションであり、バーコードソリューション４００−ｄはクーポン及び会員カードなどのバーコードの管理、ポイントの積み立て、減算などに関する総合ソリューションであり、決済システムソリューション４００−ｅは会員３０と加盟店２０の加入費の決済と広告費の決済、統合割引きクーポンの額面金額及び手数料決済などのために使用される。これらそれぞれのモジュール及びシステムに連結される中枢であるサーバシステム１０はデータベースサーバ１０−４、ウェブサーバ１０−１、ＳＭＳサーバ１０−３、メールサーバ１０−２で総合構成される。
上述した統合割引きクーポンは、オフライン上の加盟店をポイント積立式を好む積立式加盟店と割引きクーポンを好むクーポン加盟店で大きく分ける際、二重ポイント積立式加盟店は割引きクーポンも使用可能であるためオフライン上の積立兼用加盟店と称し、その他の加盟店はクーポン単独加盟店と称し、またオンライン上の加盟店サーバ８０には主催社と連結されるクライアントシステムソリューション４００−ｂが設置されて割引きクーポンの遠隔発行も可能であるため通称してオンライン上のクーポン兼用加盟店と称する。この際、主催社の傘下には各地域別に支店又は仲介所（以下、支店）が設置され、支店端末機４０とサーバ１０は互いに専用網又はＶＰＮ（仮想私設網）で連結されて加盟店管理及び顧客管理に必要な業務を行う。
【０００５】
前記のような従来の統合マーケティングシステムは顧客の位置情報、需要予測に対する情報不足で広告主に合わせたターゲット広告を提供することができない問題点がある。また、広告主の広告を確認する顧客に広告を介した広告収益を共有しないため広告を利用しないなど効率的な広告が行われていない。
【先行技術文献】
【特許文献】
【０００６】
【特許文献１】KR10-2005-4084（2005.1.12）
【発明の概要】
【発明が解決しようとする課題】
【０００７】
本発明の目的は、加盟店とスマートフォンのような携帯端末機を活用して加盟店又は団体を利用する顧客にポイントで補償し、会員登録の際に提供された顧客のセグメント情報を購入履歴情報、位置情報を利用してターゲット広告をすることで広告効果を上げることである。また、本発明の他の目的は、広告主の広告を顧客に提供し、広告を確認した顧客及び顧客管理加盟店に対しては広告を介して得られる広告収益を共有することで広告の利用率を上げることである。本発明のまた他の目的は、地域別のターゲット広告を活性化してチラシの使用を大幅に減らすことで地球環境に役に立つことである。また、各種ポイントカードを統合して顧客の不必要なカード数を減らすことである。
【課題を解決するための手段】
【０００８】
前記のような目的を有する本発明のスマートポイント補償サービスを利用した広告システム及びその方法は、ポイントリワードサーバ３００に顧客の端末機電話番号、性別、年のようなセグメント情報に基づいて会員登録をし、必要に応じて位置追跡に同意した顧客に対して顧客端末機の位置情報をリアルタイムでポイントリワードサーバに伝送する顧客端末機１００と、レストラン、映画館、洋服屋、靴屋、学校、教会など各団体又は商店でサービス又は商品などを利用するか寄与することに対してポイントなどで補償されるようにする方法を介して顧客が会員としてポイントリワードサーバに登録するようにし、顧客に利用金額の一定割合又は寄与度に応じてポイントを支給・管理するなど購入履歴情報をリワードサービスサーバーに伝送して管理し、登録された会員の情報を共有する加盟店端末機４００と、ポイントリワードサーバ３００に広告主の望みの広告及びターゲット広告条件をオンラインで伝送する広告主端末機５００と、前記広告主のターゲット広告条件を依頼されて顧客及び加盟店の登録情報と購入履歴情報、位置情報を活用してターゲット広告対象者を決定し、ターゲット広告の対象になる顧客端末機１００を介してターゲット広告を伝送し、前記ターゲット広告を介して広告主が支払う売り上げから発生する広告収益を登録会員を管理する加盟店と広告を確認した顧客にも一定割合で配分するポイントリワードサーバ３００と、で構成されることを特徴とする。
【０００９】
また、ポイント補償サービスを利用した広告方法は、加盟店端末機４００がポイントリワードサーバに加盟店として登録する第１ステップと、顧客端末機１００がポイントリワードサーバ３００に会員として登録する第２ステップと、ポイントリワードサーバが各加盟店で顧客が購入した購入履歴情報である商品情報、加盟店情報、利用金額情報、ポイント情報、顧客情報、寄与度情報などを加盟店端末機から受信されて貯蔵管理する第３ステップと、広告主端末機から広告主が依頼した広告情報及びターゲット広告条件を受信して貯蔵管理する第４ステップと、前記顧客が利用した加盟店情報、商品情報、利用金額情報、ポイント情報及び顧客情報に基づいてターゲット広告対象者を設定する第５ステップと、前記選定した広告主の広告とターゲット広告対象者である顧客端末機に伝送して表出する第６ステップと、広告収益に基づいて広告を確認した顧客及び加盟店の寄与度と決められた基準に従って課金を算定する第７ステップと、前記算定した課金を顧客及び加盟店の銀行口座に伝送する第８ステップと、を含む。また、前記広告対象者を設定するステップで位置情報の提供に同意した顧客からリアルタイムに受けた位置情報を組み合わせて広告対象者を設定することができ、前記第６ステップの広告を顧客端末機に伝送して表出するステップの前にわいせつ物の受信をフィルタリングするステップを追加するようにして広告の公益性を上げることができる。
【発明の効果】
【００１０】
前記のように構成された本発明のスマートポイント補償サービスを利用した広告システム及びその広告方法は、顧客の位置情報、顧客の性向、消費性向などに基づいてターゲット広告をすることで広告効果を上げることができる。また、本発明は広告を介して得られた収益を広告を確認した顧客と顧客会員の登録を受けた加盟店の寄与度など一定基準に従って本発明の事業者と一定割合で共有することで本サービスに積極的に参加するようにする効果がある。また、本発明の他の効果はターゲット広告が活性化されて収益が上がると顧客及び加盟店が積極的に登録してポイントリワードサービスが更に活性化されてターゲット広告効果が増大されるため、それを利用したアンケートの活性化など付随的な効果も期待される。また他の効果としては各加盟店が別途に運営するポイント積み立てシステムを統合管理してポイントカードの保有数を減らすことができる付随的な効果があり、本発明を介して位置基盤の地域広告が活性化されると地域広告に主に活用されるチラシの使用が減って地球環境にも役に立つ効果が期待される。
【図面の簡単な説明】
【００１１】
【図１】従来のインターネット基盤の割引き統合マーケティングとオン・オフライン広告、その他の加盟店及び会員管理などが結合された統合マーケティングシステムの構成図
【図２】本発明のスマートポイント補償サービスを利用した広告システムの全体構成図
【図３】本発明に適用されるポイントリワードサーバーの詳細な構成図
【図４】本発明のスマートポイント補償サービスを利用した広告方法の第１実施例の制御フローチャート
【図５】本発明のスマートポイント補償サービスを利用した広告方法の第２実施例の制御フローチャート
【発明を実施するための形態】
【００１２】
前記のような目的を有する本発明のスマートポイント補償サービスを利用した広告システム及びその方法について図２乃至図５を参照して説明すると以下のようである。
図２は、本発明のスマートポイント補償サービスを利用した広告システムの全体構成図である。前記図２において、本発明のスマートポイント補償サービスを利用した広告システムは、ポイントリワードサーバ３００とインターネット網又は移動通信網１５０で連結されて前記ポイントリワードサーバ３００に会員として登録し位置情報をリアルタイムでポイントリワードサーバに伝送するスマートフォンのような多数の顧客端末機１００と、前記ポイントリワードサーバ３００とインターネット網又は移動通信網２５０で連結されて加盟店の会員として加入するレストラン、洋服屋、映画館、各種団体などに設置されるもので、ポイントなどの購入履歴情報を入力しポイントリワードサーバの本加盟店の会員である顧客登録情報を共有する加盟店端末機４００と、前記ポイントリワードサーバ３００とインターネット網又は移動通信網１５０で連結されて広告主が依頼した広告及びターゲット広告条件をポイントリワードサーバに伝送する広告主端末機５００と、前記顧客端末機１００から顧客のセグメント情報である氏名、年齢、性別、端末機の電話番号などに基づいて会員として登録を受けて貯蔵管理し、加盟店端末機４００から加盟店のサービスの種類、商品、位置情報などに基づいて加盟店会員として登録を受けて貯蔵管理し、顧客が加盟店で購入した購入履歴情報（商品、サービスの種類、顧客情報、加盟店情報、利用金額、ポイントなど）を受信して貯蔵管理し、必要であれば前記受信した購入履歴情報のうちからポイント情報などを顧客端末機１００に伝送し、広告主端末機５００又はオフラインで広告主が依頼した広告及びターゲット広告条件を受信してターゲット広告対象者を設定して貯蔵管理しながらターゲット広告対象者である顧客端末機に伝送して広告し、広告の収益金額に対して利益金を算定し利潤の一定割合又は寄与度など一定規準に従って金融機関サーバ２００を利用して広告を利用した顧客及び前記顧客を会員として管理する加盟店の口座に送金して配分するように制御するポイントリワードサーバ３００で構成される。
【００１３】
前記では加盟店で顧客がサービス又は物品をカード又は現金を利用するか学校、教会などの団体にその他のサービスで寄与する場合、加盟店端末機４００で顧客の購入（利用）履歴情報をポイントリワードサーバ３００に伝送し、必要であれば更にポイントリワードサーバ３００から顧客のポイントなどを顧客端末機１００に伝送してポイントを管理するようにする。また、加盟店端末機４００で顧客が購入したか寄与したサービス又は商品に対してポイントが発生すればポイントリワードサーバ３００及び顧客端末機１００に同時に伝送して管理することもできる。また、ポイントリワードサーバ３００は位置情報の提供に同意した顧客の端末機１００の位置情報をリアルタイムで受信し、前記顧客の位置情報に基づいて顧客の位置から近い地域の広告主情報を提供する。
【００１４】
図３は、本発明に適用されるポイントリワードサーバーの詳細な構成図である。前記図３において、本発明に適用されるポイントリワードサーバ３００は、スマートフォンなどような顧客端末機１００からセグメント情報である顧客の氏名、性別、年齢、顧客端末機の番号などに基づいて登録を受けた顧客情報を貯蔵管理する顧客ＤＢ３２９と、加盟店端末機から加盟店に関するサービスの種類、商品、位置情報などに基づいて会員として登録された加盟店情報を貯蔵管理する加盟店ＤＢ３４０と、顧客が前記加盟店で使用した決済金額及び寄与度に対して一定割合で支給するポイント情報、加盟店情報、顧客情報及び利用金額情報を加盟店端末機４００から受信して貯蔵管理するポイント管理ＤＢ３３０と、広告主端末機５００から広告主が依頼した広告及び広告条件を受信して貯蔵管理する広告ＤＢ３１０と、前記ポイント管理ＤＢ３３０に貯蔵された顧客の購入履歴情報であるポイント情報、加盟店情報、顧客情報及び利用金額情報などに基づいて広告主が依頼した広告ＤＢ３１０から広告しようとするターゲット広告対象者を設定するターゲット広告設定部３９０と、ターゲット広告設定部３９０で設定されたターゲット広告対象者と広告文案を貯蔵管理するターゲット広告設定ＤＢ３６０と、ターゲット広告対象である顧客端末機１００にターゲット広告を周期的に伝送して広告した後、広告収益による利益を判断し広告を確認した顧客及び加盟店の寄与度に応じて配分率を判断する課金判定部３７０と、前記課金判定部３７０で判定した課金情報を貯蔵管理する課金ＤＢ３８０と、前記課金ＤＢ３８０に貯蔵された顧客及び加盟店の配分金を送金するために顧客及び加盟店の銀行口座番号を貯蔵管理する顧客及び加盟店口座ＤＢ３５０を含んで構成される。
【００１５】
また、ポイントリワードサーバ３００は、顧客端末機１００から顧客情報をインターネット網又は移動通信網から受信されて会員として登録して顧客ＤＢ３２０に貯蔵管理するようにし、加盟店端末機１００から加盟店情報をインターネット網又は移動通信網で受信して会員として登録を受けて加盟店ＤＢ３４０に貯蔵管理するようにし、広告主端末機５００から広告主が依頼した広告をインターネット網又は移動通信網で受信して広告ＤＢ３１０に貯蔵管理するようにし、顧客端末機１００及び加盟店端末機４００から顧客及び加盟店の銀行口座をインターネット網又は移動通信網を介して受信されて顧客及び加盟店口座ＤＢ３５０に貯蔵管理するようにし、顧客が加盟店で購入した購入履歴情報（顧客情報、加盟店情報、サービスの種類、商品、利用金額、ポイント）又は寄与度を加盟店端末機４００から受信してポイント管理ＤＢ３３０に貯蔵管理するようにし、前記ポイント管理ＤＢ３３０の情報に基づいてターゲット広告設定部３９０でターゲット広告対象者を設定してターゲット広告ＤＢ３６０に貯蔵し、広告文案をターゲット広告対象である顧客端末機１００に伝送して広告が行われるようにし、ターゲット広告の後に広告を確認した顧客情報に基づいて課金判定部３７０で広告収益の一定割合を顧客及び会員管加盟店の課金として算定するようにして課金ＤＢ３８０に貯蔵管理するようにし、課金ＤＢ３８０に貯蔵された顧客及び加盟店の課金情報に応じて顧客及び加盟店の口座ＤＢ３５０に貯蔵された顧客及び加盟店の課金情報に応じて顧客及び加盟店口座ＤＢ３５０の当顧客及び加盟店の銀行口座に課金を送金するように制御する制御部３５５で構成される。前記において、ターゲット広告設定部３９０でターゲット広告対象者を設定する方法はポイント管理ＤＢ情報に基づいて行われる。前記のような方式で課金を算定した後、顧客及び加盟店口座ＤＢ３５０に貯蔵された顧客及び加盟店の銀行口座に一定期間の課金を伝送する。また、前記において、ポイント管理ＤＢ３３０に貯蔵されたポイントは加盟店で顧客がサービス又は商品を購入しポイントを使用する場合、ポイントリワードサーバは前記加盟店端末機４００でポイント使用情報を受信しポイント管理ＤＢ３３０に貯蔵されたポイント情報から差し引いて更にポイント情報をアップデートして貯蔵管理する。
【００１６】
図４は、本発明のスマートポイント補償サービスを利用した広告方法の第１実施例の制御フローチャートである。前記図４において、本発明のスマートポイント補償サービスを利用した広告方法の第１実施例の第１ステップは加盟店端末機から受信された加盟店情報に基づいて会員として加盟店を登録するステップＳ２１である。前記において、加盟店情報はサービスの種類、商品、加盟店の位置情報などが含まれる。次に、前記第１実施例の第２ステップは顧客端末機から受信された顧客情報に基づいて会員として顧客を登録するステップＳ２２である。前記において、顧客情報は顧客の氏名、性別、年齢、顧客端末機の番号などであってもよい。次に、第３ステップは広告主端末機から広告主が依頼した広告情報を受信して貯蔵管理するステップＳ２３である。前記において、広告主は広告しようとする内容及び広告対象者の性別、年齢、位置、購入趣向、時間帯などのターゲット広告条件を作成し、ポイントリワードサーバに伝送して広告ＤＢに貯蔵管理するようにする。次に、第４ステップは顧客が加盟店で購入するサービス又は商品に対する購入履歴情報を受信し貯蔵管理するステップＳ２４である。前記において、購入履歴情報は顧客情報、加盟店情報、購入サービスの種類、商品、利用金額、ポイント、寄与度などであってもよく、それを適切に組み合わせてもよい。次に、第５ステップは購入履歴情報に基づいてターゲット広告を設定するステップＳ２５である。前記において、ターゲット広告を設定するステップは顧客が加盟店で購入したサービス又は商品に基づいた顧客情報、加盟店情報、サービスの種類、商品、利用金額、ポイント、寄与度などに基づいてターゲット広告対象者を設定することを特徴とする。また、前記ターゲット広告は顧客が加盟店で購入する購入履歴情報の変動に応じて周期的に更に設定されることを特徴とする。次に、第６ステップは設定されたターゲット広告をインターネット網又は移動通信網を介してターゲット広告対象者である顧客端末機に伝送し表出するステップＳ２６である。次に、第７ステップは広告収益金に基づいて広告を確認した顧客及び会員管理加盟店の寄与度に応じて一定割合に課金を算定するステップＳ２７である。前記において、課金の算定とは一定期間を基準に広告収益に基づいて広告を利用した顧客と会員管理加盟店の寄与度に応じて一定割合に利益を配分することである。次に、第８ステップは算定された課金を顧客及び加盟店の銀行口座に送金Ｓ２８して終了するステップである。
【００１７】
図５は、本発明のスマートポイント補償サービスを利用した広告方法の第２実施例の制御フローチャートである。前記図５において、本発明のスマートポイント補償サービスを利用した広告方法の第２実施例の第１ステップは加盟店端末機から受信された加盟店情報に基づいて会員として加盟店を登録するステップＳ３１である。前記において、加盟店情報はサービスの種類、商品、加盟店の位置情報などが含まれる。次に、前記第２実施例の第２ステップは顧客端末機から受信された顧客情報に基づいて会員として顧客を登録するステップＳ３２である。前記において、顧客情報は顧客の氏名、性別、年齢、顧客端末機の番号などであってもよい。次に、第３ステップは広告主端末機又はオフライン上で広告主が依頼した広告情報を受信して貯蔵管理するステップＳ３３である。前記において、広告主は広告しようとする内容及びターゲット広告条件をポイントリワードサーバに伝送して広告ＤＢに貯蔵管理するようにする。次に、第４ステップは顧客端末機の位置情報をリアルタイムで受信するステップＳ３４である。前記において、位置情報の受信は顧客端末機に付着されたＧＰＳ端末機から得られる位置情報であるか、移動通信基地局を利用した顧客端末機の位置情報であってもよい。次に、第５ステップは顧客端末機の位置情報、顧客セグメント情報、購入履歴情報などに基づいてターゲット広告対象者を設定するステップＳ３５である。前記において、顧客の位置情報に基づいたターゲット広告対象者の設定は、例えば顧客端末機が駅三洞に位置する場合、顧客のセグメント情報と購入履歴情報などを組み合わせて駅三洞のレストラン、洋服屋、映画館などのような加盟店の広告及びそれに関する商品の広告を設定する。次に、第６ステップは設定されたターゲット広告をインターネット網又は移動通信網を介して顧客端末機に伝送し表出するステップＳ３６である。前記第６ステップにおいて、広告を表出するステップで加盟店広告をする場合、地域を選定して前記地域に位置する加盟店情報をサービス及び商品の種類と共に提供し、アドレス、位置情報及び電話番号情報を追加に提供してもよく、加盟店に関する広告は加盟店で取り扱うサービス及び商品を広告する。次に、第７ステップは広告収益金売上げに基づいてそれぞれの広告を利用した顧客及び会員管理加盟店の寄与度に応じて課金を算定するステップＳ３７である。前記において、課金の算定とは一定期間を基準に広告収益売上げに基づいて広告を利用した顧客と会員管理加盟店に寄与度に応じて一定割合に利益を配分することである。次に、第８ステップは算定された課金を顧客及び加盟店の銀行口座に送金Ｓ３８して終了するステップである。
【００１８】
前記実施例において、広告主が本サービスを利用し事業主に支払う広告金額はターゲット広告対象者が確認した広告に対してのみ支払うことが好ましい。
本ターゲット広告システム及びその方法は本実施例にのみ限られず、各種アンケート、イベント、お知らせをポイントリワードサーバのプッシュ機能を介してターゲット広告の対象となる顧客端末機に伝送することができる。
前記のように構成された本発明のスマートポイント補償サービスを利用した広告システム及び補償サービス方法は、顧客にポイントを提供する方法を介してターゲット広告をすることができるため広告効果を上げ、顧客と加盟店に広告を介して得られる広告収益を配分することで顧客及び加盟店の会員加入を促進する長所がある。
本発明では最も基本的な実施例のみ開示しているが、本発明の範囲は本実施例にのみ限られず、修正又は変更を介して多用に実施可能である。
【図１】
2015525416.tif 000003
【図２】
2015525416.tif 000004
【図３】
2015525416.tif 000005
【図４】
2015525416.tif 000006
【図５】
2015525416.tif 000007
【国際調査報告】
2015525416.tif 000008
2015525416.tif 000009
2015525416.tif 000010
2015525416.tif 000011